(57)【特許請求の範囲】
【請求項１】
各々多数の針を有する少なくとも第１の針床と第２の針床とを備え、前記針床が相対的に摺動可能で、かつ針床間で編目の目移しが可能な横編機を用いて、
第１の編地が第１の針床に属し、第２の編地が第２の針床に属するように、これらの編地を向かい合わせて編成した後、第１の編地と第２の編地の編目を重ねて伏せ目する方法において、
第１の編地の少なくとも１個の編目を第２の針床に係止し、第２の編地の少なくとも１個の編目を第１の針床に係止すると共に、少なくとも１個の伏せ目用の編目を第１または第２の針床に係止し、
次いで、針床間での目移しにより、第２の針床に係止した第１の編地の編目と、第１の針床に係止した第２の編地の編目が、編目の表側と表側とが向き合うように前記伏せ目用の編目とともに針床上で重ねて３重目とし、
次いで、前記３重目上に新たな伏せ目用の編目を形成する、ことを特徴とする、横編機を用いた伏せ目方法。
【請求項２】
第１の編地の一端の編目を第２の針床に係止し、かつ第２の編地の同じ側の端部の編目を第１の針床に係止し、
次いで針床間での目移しにより前記２つの編目を重ねて、その後、重ね目上に最初の伏せ目用の編目を形成し、
次いで、前記最初の伏せ目用の編目と、第１の編地上で前記一端の編目に隣接する編目と、前記第２の編地上で前記同じ側の端部の編目に隣接する編目とを重ねて前記３重目とする、
ことを特徴とする、請求項１の横編機を用いた伏せ目方法。
【請求項３】
前記新たな伏せ目用の編目と、第１の編地上で前記３重目に隣接する編目と、第２の編地上で前記３重目に隣接する編目、とを重ねて新たな３重目を形成することと、
新たな３重目上に新たな伏せ目用の編目を形成すること、
とを繰り返すことを特徴とする、請求項２の横編機を用いた伏せ目方法。
【請求項４】
第１の編地の１つの編目を第２の針床へ目移しして第２の針床に係止することと、
この編目と、第１の針床に係止した第２の編地の１つの編目と、伏せ目用の編目を重ねて、３重目を形成すると共に、該３重目上に前記新たな伏せ目用の編目を形成すること、
とを繰り返すことを特徴とする、請求項３の横編機を用いた伏せ目方法。
【請求項５】
第２の編地の複数の編目を第１の針床で形成して、第１の針床に係止する、
ことを特徴とする、請求項４の横編機を用いた伏せ目方法。
【請求項６】
３重目は、第１の編地と第２の編地の伏せ目の完了後に、最も外にある外，中間にある中，最も内にある内の順序を有し、伏せ目用の編目は、３重目の中または内に位置する、
ことを特徴とする、請求項１の横編機を用いた伏せ目方法。
【請求項７】
第１の編地の少なくとも１個の編目と、第２の編地の少なくとも１個の編目、の少なくとも一方の編目を、３重目の形成前に、捻られた状態で形成する、
ことを特徴とする、請求項１の横編機を用いた伏せ目方法。
【請求項８】
前記第１の編地の編目を１個第２の針床に移動させ、前記第２の編地の編目を１個第１の針床に移動させることと、
次いでこれらの編目を前記伏せ目用の編目と重ねて、前記３重目を形成すると共に新たな伏せ目用の編目を形成すること、
とを繰り返すことを特徴とする、請求項３の横編機を用いた伏せ目方法。
【請求項９】
第２の編地の一端の編目を含む複数の編目を第１の針床に目移しした後、第１の編地の同じ側の端部の編目を第２の針床に目移しし、次いで第１の編地の前記端部の編目と、第２の編地の前記端部の編目とを重ねて２重目とし、
次いでこの２重目上に編目を形成して前記伏せ目用の編目とし、かつ第２の編地の目移しされた編目で、該２重目に隣接する編目上に新たな編目を形成した後に、
以下の編成；前記伏せ目用の編目と、前記新たな編目とを重ねて新たな２重目とし、前記新たな編目に対向する第１の編地の編目を第２の針床に新たに目移しし、該新たに目移しした編目と前記新たな２重目とを重ねて新たな３重目とし、前記新たな３重目上に新たな伏せ目用の編目を形成すると共に、第２の編地の目移しされた編目で、前記新たな３重目に隣接する編目上に新たな編目を形成する、
を繰り返すことを特徴とする、請求項３の横編機を用いた伏せ目方法。
【請求項１０】
第２の編地の一端の編目を含む複数の編目を第１の針床に目移しした後、第１の編地の同じ側の端部の編目を第２の針床に目移しし、次いで第１の編地の前記端部の編目と、第２の編地の前記端部の編目とを重ねて２重目とし、
次いで、第２の編地の目移しされた編目で、該２重目に隣接する編目上に新たな編目を形成すると共に、該２重目上に編目を形成して前記伏せ目用の編目とし、かつ前記新たな編目上にさらなる新たな編目を形成した後に、
以下の編成；前記伏せ目用の編目と、前記さらなる新たな編目とを重ねて新たな２重目とし、前記さらなる新たな編目に対向する第１の編地の編目を第２の針床に新たに目移しし、該新たに目移しした編目と前記新たな２重目とを重ねて新たな３重目とし、第２の編地の目移しされた編目で、該新たな３重目に隣接する編目上に新たな編目を形成すると共に、前記新たな３重目上に新たな伏せ目用の編目を形成し、かつ前記新たな編目上にさらなる新たな編目を形成する、
を繰り返すことを特徴とする、請求項３の横編機を用いた伏せ目方法。
【請求項１１】
各々多数の針を有する少なくとも第１の針床と第２の針床とを備え、前記針床が相対的に摺動可能で、かつ針床間で編目の目移しが可能な横編機を用いて編成しかつ伏せ目した編地において、
前記編地は前側編地と後側編地とからなり、該前側編地と後側編地はいずれも多数の編目からなる最終コースを有し、
前記最終コースの編目はシンカーループとニードルループを有すると共に、シンカーループからニードルループへ向かう向きを有し、
前側編地の最終コースの編目は、該編目を前側編地に関して後側編地の反対側から見た側を表、後側編地側から見た側を裏とする、表と裏の関係を有し、
後側編地の最終コースの編目は、該編目を後側編地に関して前側編地の反対側から見た側を表、前側編地側から見た側を裏とする、表と裏の関係を有し、
前側編地の最終コースの各編目は後側編地の最終コースの編目と、前側編地の最終コースの編目の表側と後側編地の最終コースの編目の表側が向き合い、かつ前側編地の最終コースの編目と後側編地の最終コースの編目とでシンカーループからニードルループへの向きが逆になるように、重ねられて、多数の隣接した重ね目を形成し、かつ各重ね目に形成した伏せ目用の編目は隣接した重ね目に重ねられていることを特徴とする、伏せ目された編地。
【発明の詳細な説明】
【０００１】
【発明の属する技術分野】
本発明は、一対の編地の最終コース同士を接合するとともに、解れ止めを施す伏せ目処理に関する。
【０００２】
【従来の技術】
編地の最終コースの編目の解れ止めを行う従来法として、特開昭５９−２１７５８号に開示された方法がある。この公報では、編地の最終コースの編目を、針床上の隣接した針に係止されている編目と重ね、２つの編目を重ねて保持している針に編糸を供給して、次コースの編目を新たに形成する。新たに形成した編目を隣接する針に係止されている編目と重ねた後、これらの編目を係止している針に編糸を供給して次コースの編目を形成する。これらの工程を最終コースの編目に対し順次行うと解れ止めが行われる。この方法は、一般に伏せ目と呼ばれる。
【０００３】
上記伏せ目を利用し、前後の針床で重ねて編成された一対の編地の最終コースの編目同士を重ねた状態で、伏せ目することが考えられている。これにより編地同士を接続するとともに、最終コースの編目の解れ止めを行うことができる。この方法により、たとえば前ベッドで前身頃部を、後ベッドで後身頃部を形成する。この後、前身頃部の上部に形成された前肩部と、後身頃部の上部に形成された後肩部の、最終コースの編目同士を重ね、伏せ目を行う。すると前身頃部と後身頃部が、肩部において接続される。
【０００４】
上記した方法により伏せ目処理された編地では、図１６に示すように、前肩部１０１の最終コースの編目１０２と後肩部１０３の最終コースの編目１０４は、編目の裏側と裏側とが接するように重ねられて、ここに伏せ目用の編目１０５が形成される。前肩部１０１の最終コースの編目１０２と後肩部１０３の最終コースの編目１０４が、上記の状態で重ね合わされているため、図１６に示すように、編目の先端部が編地の接合箇所で編地表面に突出する傾向があった。図１６は前肩部と後肩部の接合箇所の断面図である。
【０００５】
【発明が解決しようとする課題】
上記の問題を解決するため、特開平４−２０９８５５号公報の方法が提案されている。この方法では、前身頃および後身頃を前後の針床を使用して編成する。この後、それまで前身頃の編成に使用されていた給糸口とそれまで後身頃の編成に使用されていた給糸口とを移動させ、編地から各給糸口に渡っている編糸を交差させる。この状態で、前身頃および後身頃の最終コースとなる編目に、伏せ目を繰り返し、前身頃と後身頃を前記の交差した編糸により接続する。この方法により伏せ目された編地では、前身頃部と後身頃部の編目が重ねられることがないので、前身頃および後身頃を重ね合わせて行う方法に比べ、伏せ目された部分が硬くなったり、伏せ目した箇所が突出し美観を損ねるという問題がない。しかしこの方法では、伏せ目を行うために、前身頃部と後身頃部の編成に複数の給糸口を使用することが必要である。
【０００６】
本発明の課題は、伏せ目箇所の突出を抑え、２つの編地を平坦に接続する伏せ目方法を提供することにある。また、本発明の他の課題は、伏せ目に用いた他とはウェール方向が異なる編目が、編地表面に現れないようにすることにある。本発明のさらに他の課題は、伏せ目箇所で編目が捻れないようにすることにある。
【０００７】
【課題を解決するための手段】
この発明では、各々多数の針を有する少なくとも第１の針床と第２の針床とを備え、前記針床が相対的に摺動可能で、かつ針床間で編目の目移しが可能な横編機を用い、第１の編地が第１の針床に属し、第２の編地が第２の針床に属するように、これらの編地を向かい合わせて編成した後、第１の編地と第２の編地の編目を重ねて伏せ目する。このような横編機は周知であり、また伏せ目という概念自体は周知である。編地の編成は平編でもリブ編等でも良く、平編の場合、文字通りに第１の編地は第１の針床で編成されて第１の針床に属し、第２の編地は第２の針床で編成されてこの針床に属する。リブ編の場合も、各編地が何れの針床に属するかを定めることができる。例えば２枚ベッドの横編機の場合、リブ編成では針床間での目移しが頻繁に行われ、１つの編地が第１の針床に係止され、同様に他方の編地が第２の針床に係止される状態が現れる。この状態に着目すると
、何れの編地がいずれの針床に属するかを定めることができる。従って、編成時には第１の編地が第１の針床で編成され、第２の編地が第２の針床で編成されることには必ずしもならない。しかしながら、伏せ目前に第１の編地の編目は第１の針床に揃えられ、第２の編地の編目は第２の針床に揃えられる。
【０００８】
この発明は、第１の編地の少なくとも１個の編目（１５，２４，２５，３５，３８，３９，５７）を第２の針床に係止し、第２の編地の少なくとも１個の編目（１４，２６，２７，３４，３７，４１，５６）を第１の針床に係止すると共に、少なくとも１個の伏せ目用の編目（１３，１６，２８，３３，３６，４０，５８）を第１または第２の針床に係止し、次いで、針床間での目移しにより、第２の針床に係止した第１の編地の編目（１５，２４，２５，３５，３８，３９，５７）と、第１の針床に係止した第２の編地の編目（１４，２６，２７，３４，３７，４１，５６）が、編目の表側と表側とが向き合うように前記伏せ目用の編目（１３，１６，２８，３３，３６，４０，５８）とともに針床上で重ねて３重目とし、次いで、前記３重目上に新たな伏せ目用の編目（１６，２８，３６，４０，５８）を形成する、ことを特徴とする。（請求項１）
【０００９】
また、好ましくは、第１の編地の一端の編目（１２，３１，５１）を第２の針床に係止し、かつ第２の編地の同じ側の端部の編目（１１，３２，５２）を第１の針床に係止し（第１実施例コース３〜４、第２実施例コース１５〜１７、第３実施例コース２〜４）、次いで針床間での目移しにより前記２つの編目を重ねて、その後、重ね目上に最初の伏せ目用の編目（１３，３３，５８）を形成し（第１実施例コース５〜７、第２実施例コース１８〜２０、第３実施例コース５〜７）、次いで、前記最初の伏せ目用の編目（１３，３３，５８）と、第１の編地上で前記一端の編目（１２，３１，５１）に隣接する編目（１５，３５，５７）と、前記第２の編地上で前記同じ側の端部の編目（１１，３２，５２）に隣接する編目（１４，４５，５５）とを重ねて前記３重目とする（第１実施例コース８〜１１、第２実施例コース２１〜２４、第３実施例コース８〜１１）。（請求項２）
さらに好ましくは、前記新たな伏せ目用の編目（１６，３６，５８）と、第１の編地上で前記３重目に隣接する編目（２４，３８，５７）と、第２の編地上で前記３重目に隣接する編目（２６，３７，５６）、とを重ねて新たな３重目を形成することと（第１実施例コース１４〜１７、第２実施例コース２７〜３０、第３実施例コース１４〜１７）、新たな３重目上に新たな伏せ目用の編目（２８，４０，５８）を形成すること（第１実施例コース１８〜１９、第２実施例コース３１〜３２、第３実施例コース１８〜１９）、とを繰り返す。（請求項３）
【００１０】
また、好ましくは、第１の編地の１つの編目（１５，３５）を第２の針床へ目移しして第２の針床に係止することと、この編目（１５，３５）と、第１の針床に係止した第２の編地の１つの編目（１４，３４）と、伏せ目用の編目（１３）を重ねて、３重目を形成する（第１実施例コース８〜１１、第２実施例コース２１〜２４）と共に、該３重目上に前記新たな伏せ目用の編目（１６，３６）を形成する（第１実施例コース１２〜１３、第２実施例コース２５〜２６）こと、とを繰り返す。（請求項４）
【００１１】
また、好ましくは、第２の編地の複数の編目（３２，４５，５２，５４）を第１の針床で形成して、第１の針床に係止する（第２実施例コース１５、第３実施例コース２）。（請求項５）
【００１２】
また、好ましくは、３重目は、第１の編地と第２の編地の伏せ目の完了後に、最も外にある外，中間にある中，最も内にある内の順序を有し、伏せ目用の編目（１３，１６，２８，３３，３６，４０）は、３重目の中（第２実施例の編目３３，３６，４０）または内（第１実施例の編目１３，１６，２８）に位置する。（請求項６）
【００１３】
また、好ましくは、第１の編地の少なくとも１個の編目と、第２の編地の少なくとも１個の編目、の少なくとも一方の編目を、３重目の形成前に、捻られた状態で形成する（第２実施例コース２〜９）。（請求項７）
【００１４】
また、好ましくは、前記第１の編地の編目（２４，３８）を１個第２の針床に移動させ、前記第２の編地の編目（２６，３７）を１個第１の針床に移動させることと、次いでこれらの編目を前記伏せ目用の編目（１６，３６）と重ねて、前記３重目を形成すると共に新たな伏せ目用の編目（２８，４０）を形成すること、とを繰り返す。（請求項８）
【００１５】
また、好ましくは、第２の編地の一端の編目（３２）を含む複数の編目（３２，４５）を第１の針床に目移しした後、第１の編地の同じ側の端部の編目（３１）を第２の針床に目移しし、次いで第１の編地の前記端部の編目（３１）と、第２の編地の前記端部の編目（３２）とを重ねて２重目とし（第２実施例コース１５〜１８対応）、次いでこの２重目上に編目（３３）を形成して前記伏せ目用の編目とし、かつ第２の編地の目移しされた編目で、該２重目に隣接する編目（４５）上に新たな編目（３４）を形成した後に（第２実施例コース１９〜２０）、
以下の編成；前記伏せ目用の編目（３３）と、前記新たな編目（３４）とを重ねて新たな２重目とし（第２実施例コース２１〜２２）、前記新たな編目（３４）に対向する第１の編地の編目（３５）を第２の針床に新たに目移しし（第２実施例コース２３）、該新たに目移しした編目（３５）と前記新たな２重目とを重ねて新たな３重目とし（第２実施例コース２４）、前記新たな３重目上に新たな伏せ目用の編目（３６）を形成すると共に、第２の編地の目移しされた編目で、前記新たな３重目に隣接する編目（４５）上に新たな編目（３７）を形成する（第２実施例コース２５〜２６）、を繰り返す（第２実施例コース２１〜２６）。（請求項９）
【００１６】
また、好ましくは、第２の編地の一端の編目（５２）を含む複数の編目（５２，５４）を第１の針床に目移しした後、第１の編地の同じ側の端部の編目（５１）を第２の針床に目移しし、次いで第１の編地の前記端部の編目（５１）と、第２の編地の前記端部の編目（５２）とを重ねて２重目とし（第３実施例コース２〜５）、次いで、第２の編地の目移しされた編目で、該２重目に隣接する編目（５４）上に新たな編目（５５）を形成すると共に、該２重目上に編目を形成して前記伏せ目用の編目（５８）とし、かつ前記新たな編目（５５）上にさらなる新たな編目（５６）を形成した後に（第３実施例コース６〜７）、
以下の編成；前記伏せ目用の編目（５８）と、前記さらなる新たな編目（５６）とを重ねて新たな２重目とし（第３実施例コース８〜９）、前記さらなる新たな編目（５６）に対向する第１の編地の編目（５７）を第２の針床に新たに目移しし、該新たに目移しした編目（５７）と前記新たな２重目とを重ねて新たな３重目とし（第３実施例コース１０〜１１）、第２の編地の目移しされた編目（５４）で、該新たな３重目に隣接する編目上に新たな編目（５５）を形成すると共に、前記新たな３重目上に新たな伏せ目用の編目（５８）を形成し、かつ前記新たな編目上にさらなる新たな編目（５６）を形成する（第３実施例コース１２〜１３）、を繰り返す（第３実施例コース８〜１３）。（請求項１０）
【００１７】
この発明は、各々多数の針を有する少なくとも第１の針床と第２の針床とを備え、前記針床が相対的に摺動可能で、かつ針床間で編目の目移しが可能な横編機を用いて編成しかつ伏せ目した編地において、
前記編地は前側編地と後側編地とからなり、該前側編地と後側編地はいずれも多数の編目からなる最終コースを有し、
前記最終コースの編目はシンカーループとニードルループを有すると共に、シンカーループからニードルループへ向かう向きを有し、
前側編地の最終コースの編目は、該編目を前側編地に関して後側編地の反対側から見た側を表、後側編地側から見た側を裏とする、表と裏の関係を有し、
後側編地の最終コースの編目は、該編目を後側編地に関して前側編地の反対側から見た側を表、前側編地側から見た側を裏とする、表と裏の関係を有し、
前側編地の最終コースの各編目は後側編地の最終コースの編目と、前側編地の最終コースの編目の表側と後側編地の最終コースの編目の表側が向き合い、かつ前側編地の最終コースの編目と後側編地の最終コースの編目とでシンカーループからニードルループへの向きが逆になるように、重ねられて、多数の隣接した重ね目を形成し、かつ各重ね目に形成した伏せ目用の編目は隣接した重ね目に重ねられていることを特徴とする。
【００１８】
【発明の作用と効果】
この明細書において編目の表／裏は、編目を重ねる前の状態で定義し、編地を正面から見て、例えば前身頃で有れば前身頃に関して後身頃の反対側から見て、見える側が表、隠れる側が裏とする。また後身頃で有れば、後身頃に関して前身頃の反対側から見て見える側が表，隠れる側が裏である。この明細書での表，裏は、表目，裏目とは必ずしも対応しない。
【００１９】
実施例では第１の針床が前ベッドに、第２の針床が後ベッドに対応するが、これに限るものではない。また実施例では第１の編地が前身頃に、第２の編地が後身頃に対応するが、これに限るものではない。さらに編目の向きは、その基部のシンカーループからニードルループへ向かう向きで定義する。簡単のため、筒状の編地を編成し、第１の針床で前身頃を、第２の針床で後身頃を編成するものとして、この発明の作用を説明する。
【００２０】
簡単のため、筒状の編地を編成し第１の針床で前身頃を、第２の針床で後身頃を編成するものとしてこの発明の作用を説明する。この発明では、前身頃の編目と後身頃の編目を表／表の関係で、即ち２つの編目の表側と表側とが向き合うように重ねて伏せ目する。２つの編目を表／表の関係で重ねるには、後身頃の編目を第１の針床で係止し、前身頃の編目を第２の針床で係止してから、両者を重ねれば良い。
【００２１】
後身頃の編目を第１の針床で係止し、前身頃の編目を第２の針床で係止するには、例えば針床間での編目の目移しを用いる。編目は最初、針床間のトリックギャップの反対側に表が、トリックギャップ側に裏が現れる。ここで編目を目移しすると、トリックギャップ側に編目の表が現れ、編目の表裏が反転する。この後、一方の編目を再度目移しして他方の編目に重ねると、２つの編目は  表／表  の関係で重なる。目移しは、２枚ベッドの横編機の場合、文字通りに第１の針床と第２の針床間で行う。しかし例えば前後に各２枚の針床を配置した４枚ベッドの横編機では、前のいずれかの針床と、後のいずれかの針床間で有れば良い。
【００２２】
編目の表裏反転は、例えば後身頃の編目を第１の針床で形成することでも実現できる。例えば伏せ目以前のコースで、後身頃の編目を第１の針床に目移しする。次にこれらの編目上に、新たに編目を編成する。新たな編目は後身頃に属し、かつ第１の針床で形成され、編成時からトリックギャップ側に編目の表が現れている。そこでこのような編目を用いても、２つの編目を  表／表  の関係で重ねることができる。
【００２３】
例えば、２つの編目を表／表の関係で重ね、この箇所に伏せ目用の編目を形成する。次に隣接ウェールの２つの編目を、伏せ目用の編目と重ねて３重目とし、以下例えばこれを繰り返して伏せ目する。伏せ目用の編目は、編目の方向が２つの編地の接続ラインを向き、編目の方向が他の編目とは異なっている。伏せ目用の編目は他の編目とウェール方向がほぼ直角なので、編地の表面に現れないことが好ましい。そこで好ましくは、針から外した状態を基準にして、伏せ目用の編目を３重目の中か内（底）に配置する。
【００２４】
３重目において、前身頃の編目と後身頃の編目は、最初編目の向きが等しい。しかし３重目を針から外すと、２つの編目を表／表の関係で重ねたため、一方の編目がほぼ半回転する。この半回転は３重目自体の性質に基づくもので自然に生じるが、半回転の原因は表／表の関係で前後の身頃を重ねたことにある。これに伴って伏せ目箇所は平坦になり、前身頃と後身頃は平坦に接続される。そして回転が生じるのは、伏せ目用の編目を形成しなかった側の編地である。例えば伏せ目用の編目を後身頃に編成するならば、前身頃側の編目が回転する。回転に伴って編目に捻れが生じ、これは原則として回転した側の編目に生じる。そこで好ましくは重ね目を形成する前に編目を予め捻って編成し、事前の捻りで３重目の形成後の回転による捻れを打ち消させる。このようにすれば、完成した編地での編目の捻れを解消できる。
【００２５】
好ましくは３重目を形成する都度、第２の編地で３重目に隣接する編目に少なくとも１個の編目を新たに形成する。するとこの編目の渡り糸が第２の編地を３重目側に引き付け、新たな編目は第１の編地の編目の下等に隠れる。このため伏せ目箇所が目立つのをさらに防止できる。
【００２６】
第１の編地の編目を第２の編地の編目と重ね、ここに伏せ目用の編目を形成して３重目とする。そしてここで、第１の編地の編目を予め捻らずに編成すると、３重目を針から外した際に第１の編地の編目が回転するため、その渡り糸が互いにクロスする。渡り糸の一方には伏せ目用の編目からの力が加わり、編地から浮き上がろうとする。この渡り糸は、クロス部で下側にあり、他の渡り糸に抑えられて編地から浮き上がらない。このため渡り糸が編地から浮き上がるのを防止できる。
【００２７】
【実施例】
本発明の伏せ目方法の実施例を、図面を参照して詳細に説明する。用いる横編機は、少なくとも前後一対の針床を有し、一対の針床が相対的に長手方向に摺動可能で、針床間での編目の目移しが可能なものを用いる。横編機は実施例でも用いた２枚ベッド機に限らず、４枚ベッドの横編機でも良く、その場合に編目の表裏反転に寄与するのは前後のベッド間での目移しである。従って、実施例での前後のベッド間での目移しは、４枚ベッド機の場合も、前後のベッド間での目移しを意味するものとする。
【００２８】
図１は本発明を利用して編成されるセーター１の完成時の状態を示す。セーター１は前身頃部２ａ，後身頃部２ｂ、および右袖部３，左袖部４からなり、身頃部２ａ，２ｂは全体で１つの筒状に、両袖部３，４はそれぞれ異なる筒状に編成され、これらの各部には針床の異なる領域の針が割り当てられる。身頃部２ａ，２ｂと袖部３，４は脇下部分まで別個に編成された後、特開平４−４１７５２号公報の方法により接続され、図２の状態となる。ここまでの編成では、１つの給糸口を使用し前ベッドと後ろベッドの両針床の針に同じ編糸を供給しても良いし、またベスト等を編成する場合、前身頃部２ａと後身頃部２ｂとで異なる給糸口を使用しても良い。図２の状態から、右両肩部５と左肩部６で最終コースの編目同士を重ねて伏せ目を行い、図１に示す完成状態とする。以下に左肩部６での伏せ目を例に、第１実施例から第３実施例を説明する。右肩部５での伏せ目は、左肩部６での伏せ目と全く同様である。実施例では、前後一対の針床を備えた２枚ベッド機を使用するものとし、編成コース図でアルファベットの大文字は前ベッドの針を、小文字は後ベッドの針を示す。なお説明の便宜上、実際の編成に使用するよりも少数の針を示して、説明する。
【００２９】
＜第１実施例＞
本発明の第１実施例を、図３から図５の編成コース図と、伏せ目が完了した時点での伏せ目箇所の編組織を示す図６、を参照して説明する。図３のコース１は、前ベッドの針Ｇから図３の左側に給糸口を移動させて前ベッドの針Ｇ，Ｅ，Ｃ，Ａに編糸を供給して編目を形成し、続いて給糸口を右側に移動させて後ベッドの針ｂ，ｄ，・・・，ｒ，ｔに編糸を供給して編目の形成が完了した状態を示す。このコース１以降で伏せ目が行われ、コース１で示されている編目が本実施例における最終コースの編目となる。図３の下方が前側、上方が後側となる状態でセーター１を編成しているため、コース１で前ベッドの１本おきの針Ａ，Ｃ，Ｅ，Ｇに係止されているのが右前肩部５ａ、後ベッドの針ｂ，ｄ，ｆ，ｈに係止されているのが右後肩部５ｂの編目である。後ベッドの針ｊ，ｌに係止される後襟首部７を介して、後ベッドの針ｎ，ｐ，ｒ，ｔに左後肩部６ｂが、前ベッドの針Ｕ，Ｓ，Ｑ，Ｏに左前肩部６ａの編目が係止されている。
【００３０】
本実施例では、前後一対の針床を備えた横編機を使用しているため、前ベッドと後ベッドで針１本分位相が異なる針に編目が係止された状態とし、編目を係止していない空針を編目間に配置して目移しに使用する。このため、編地が前後に重ねられた状態でも、目移しが可能である。以下図２に示す状態から、左右両方の肩部で前肩部と後肩部をそれぞれ接続し、図１に示す状態とする。右肩部５と左肩部６では対称に同じ編成が行われるため、左前肩部６ａと左後肩部６ｂを接続して伏せ目する場合を説明する。
【００３１】
まず図３のコース１では、図示しないコース１以前の編成で最後に編目が形成された後ベッドの針ｔの右側に給糸口が位置している。前ベッドの針Ｕに左前肩部６ａの端に位置する編目が係止され、後ベッドの針ｔに左後肩部６ｂの端の編目が係止されている。本実施例では左肩部６の外側から内側に向かって、（前ベッドでは針Ｕから針Ｏへ、後ベッドでは針ｔから針ｎへ）、伏せ目する。コース１に示す状態から、コース２では給糸口を左方向に移動させる。そしてコース３では、後ベッドの針ｔに係止されている左後肩部６ｂの編目１１を前ベッドの針Ｔに目移しする。次のコース４で、前ベッドの針Ｕに係止されている左前肩部６ａの編目１２を、後ベッドの針ｔに目移しする。次にコース５では、コース３で前ベッドの針Ｔに目移しした左後肩部６ｂの編目１１を、後ベッドの針ｔに目移しし、左前肩部６ａの編目１２と左後肩部６ｂの編目１１を重ねる。次にコース６で給糸口を右方向に移動させた後、コース７で、給糸口を左方向に移動させる間に、後ベッドの針ｔに編糸を供給して、次コースの編目１３を形成する。これにより、コース１で前ベッドの針Ｕに係止されていた左前肩部６ａの編目１２と、後ベッドの針ｔに係止されていた左後肩部６ｂの編目１１が重ねられ、これらはコース７で後ベッドの針ｔに形成された編目１３により保持される。
【００３２】
次にコース８で、後ベッドの針ｔに係止されている編目１３を前ベッドの針Ｒに移しした後、コース９で、後ベッドの針ｒに係止されている左後肩部６ｂの編目１４を、前ベッドの針Ｒに目移しし、コース７で後ベッドの針ｔに新たに形成された編目１３と左後肩部６ｂの編目１４を重ねる。次のコース１０で、前ベッドの針Ｓに係止されている左前肩部６ａの編目１５を、後ベッドの針ｒに目移しする。そして図４のコース１１で、前ベッドの針Ｒに係止されている２つの編目１３，１４を後ベッドの針ｒに目移しし、針ｒに左前肩部６ａの編目１５、左後肩部６ｂの編目１４、コース７で後ベッドの針ｔで形成された編目の３つの編目を係止する。そしてコース１２で給糸口を右方向に移動させた後、コース１３で、給糸口を左方向に移動させる間に、後ベッドの針ｒに編糸を供給して編目１６を形成する。これにより重ねられた３つの編目は、後ベッドの針ｒに新たに形成された編目１６により保持される。
【００３３】
以下、コース１４からコース２４で、コース８からコース１３と同様の編成が、左肩部６の内側（図面の左側）に向かって、セーター１の肩部の編目数に応じ、所定の回数繰り返される。そしてコース２５で、３つの編目が重ねられた状態にある後ベッドの針ｎに編糸を供給して新たな編目２１を形成するとともに、後ベッドの針ｌ，ｊ，・・・，ｄ，ｂにも編糸を供給して後襟首部７および右後肩部５ａを１コース分編成する。このようにして、セーター１の左肩部６の伏せ目が完了する。以降、右肩部５に対し左肩部６と同様の伏せ目を行い、ついで後襟首部７に対し、公知の方法で伏せ目を行えば、セーター１の編成が完了する。
【００３４】
第１実施例のコース２５までの編成が完了した時点での、伏せ目箇所の編組織を図６に示す。図６で、針番号を示すアルファベットは、編目の編成に用いた針を示す。括弧付きのアルファベットは編目が既に針から外されていることを、括弧付きのアルファベットはコース２５の編成が完了した時点で編目が針に係止されていることを示す。コース２５で後ベッドの針ｎに新たに形成した編目２１は、コース２５で後ベッドの針ｌ，ｊ・・・に形成された他の編目２２，２３と同様に、後ベッドの針に係止されている。しかし、編目間の関係を分かりやすくするため、編目２１のみ変則的に示す。
【００３５】
従来の伏せ目方法では、左前肩部６ａの編目を前側に、左後肩部６ｂの編目を後側に配置して、これらの編目を重ねるため、編目は互いに裏側が接する。即ち／を編目間の重なり面とすると、裏／裏となる。これに対し本発明では、左前肩部６ａの編目１２，１５，２４，２５が後側、左後肩部６ｂの編目１１，１４，２６，２７が前側となるように編目を重ねているため、重ね目での編目の接触は表／表となる。なお実施例では、重ね目とする以前の状態で編地を正面から見て編地の外に現れる側を編目の表、筒状編地の中に隠れる側を編目の裏とする。次に左前肩部６ａの編目１２，１５，２４，２５と左後肩部６ｂの編目１１，１４，２６，２７を重ねた状態で保持している針に、次コースの編目１３，１６，２１，２８が形成される。これらの編目１３，１６，２１，２８は伏せ目に用いる独特の編目であり、実施例では隣接ウェールへ渡る編目として参照することが有る。これらの編目が後身頃６ｂの編目であるとして、３重目での編目の接触関係を示すと、  裏（編目２６）表／裏（編目１６）表／表（編目２４）裏  となる。
【００３６】
左前肩部６ａの編目１２，１５，２４，２５は、針から外す際に時計回り方向に半回転する。これは編目１４等と編目１５等が表／表の関係で重ねられているからで、針から外すと回転し易い前身頃側の編目１５等が半回転する。この回転の軸は、３重目の編目が存在する面に垂直で、編目１５等の表裏を反転させるものではない。またこの回転に伴い、左後肩部６ｂの編目１１，１４，２６，２７と左前肩部６ａの編目１２，１５，２４，２５は、シンカーループからニードルループへの向きを編目の方向として、編目の方向が逆になる。この明細書では、２つの編目の方向が逆なことを、２つの編目が向かい合うと呼ぶことがある。前身頃の編目１５等が半回転すると、前身頃／後身頃間の伏せ目箇所の突出を抑えることができる。
【００３７】
また、左後肩部６ｂの編目１１，１４，２６，２７と左前肩部６ａの編目１２，１５，２４，２５が重ねられた状態で形成された後に、隣接するウェールの編目と重ねられる編目１３，１６，２８は、左前肩部６ａの編目１２，１５，２４，２５および左後肩部６ｂの編目１１，１４，２６，２７の下に隠れた状態となる。これは、編目１３，１６，２８を編目１４，１５等で挟むように重ねたからである。このため、隣接ウェールへ渡る編目１３，１６，２８が、編地表面に現れることがない。さて編目１６に着目すると、図４のコース１７では、後ベッドの針ｐに（編目２４下）表／表（編目２６中）裏／表（編目１６上）の関係で係止されている。なお上，中，下は、針ｐでの重ね目の位置を示す。この３重目を針ｐから外すと、前記のように編目２４は１８０度回転し、同時に編目２４が上，編目２６が中，編目１６が下となる。これは後ベッドで３重目を編成したからで、この場合には針ｐでの３重目の上下と針から外した際の上下が逆転している。仮に図４のコース１７で、前身頃の編目２４を後ベッドの針ｐから前ベッドの針Ｐに目移しして３重目としても、針から外した際の結果は変わらず、図６と同様に  編目１６（下）／編目２６（中）／編目２４（上）  の順序となる。
【００３８】
編目が重ねられた状態で編地の最も表面側に位置する左前肩部６ａの編目１２，１５，２４，２５は、隣接するウェールに渡る編目１３，１６，２８により抑えられる。このため、編目を形成する編糸の内の左側に位置する部分１７，１８が下側に押さえ込まれ、逆に右側に位置する部分１９，２０が浮き上がろうとする。伏せ目完了時には左前肩部６ａの編目１２，１５，２４，２５が捻られ、編目１２，１５，２４，２５の左側の渡り糸１７，１８が上、右側の渡り糸１９，２０が下となり、渡り糸１９，２０が浮き上がろうとするのが、渡り糸１７，１８により押さえられる。そのため完成した編地では編目が傾かず、浮き上がった編糸により伏せ目箇所に凹凸が発生することがなく、平坦な伏せ目を行うことができる。
【００３９】
＜第２実施例＞
次に本発明の第２実施例を、図７から図１０の編成コース図、および伏せ目箇所の編組織を示す図１１を参照して説明する。図７のコース１は、第１実施例の図３のコース１に示す状態から給糸口を左方向に移動させ、前ベッドの針Ｕ，Ｓ，Ｑ，Ｏに順次編糸を供給して編目の形成が完了した状態を示す。この時、給糸口は最後に編目が形成された前ベッドの針Ｏの左側に位置している。
【００４０】
第２実施例では、伏せ目を行うための準備工程を、コース２からコース１４で行う。図７のコース２で給糸口を右方向に移動させた後、コース３で給糸口を左方向に移動させる間に、前ベッドの針Ｏに編糸を供給して編目３９を形成する。以下コース４からコース９の中の、偶数コース４・６・８で給糸口を右方向に移動させ、奇数コース５・７・９で給糸口を左方向に移動させながら編目３８，３５，３１を形成する。このようにして左前肩部６の針Ｑ・Ｓ・Ｕに順次編目３８，３５，３１を形成する。コース９に続くコース１０で給糸口を右方向に移動させた後、図８のコース１１で、給糸口を左方向に移動させながら、後ベッドの１本置きの針ｔ，ｒ・・・ｄ，ｂに編糸を供給して、次コースの編目を形成する。次にコース１２およびコース１３では、前ベッドの針Ａ，Ｃ，Ｅ，Ｇに編糸を供給して右前肩部５ａの編目を形成する。次にコース１４では、後ベッドの１本置きの針ｂ，ｄ・・・ｒ，ｔに編糸を供給して、右後肩部５ｂ、後襟首部７、左後肩部６ｂを編成する。
【００４１】
コース１からコース１４に示される編成で、後の編成により捻られる前ベッドの針Ｏ，Ｑ，Ｓ，Ｕの編目３９，３８，３５，３１をあらかじめ反対側に捻られた状態で形成すると、編成完了時に捻れを解消することができる。第２実施例のコース１４が完了した状態は第１実施例のコース１に対応する。従って仮に編目が捻れても問題がなければ、第１実施例のコース１に示されるように、左後肩部の最も外側となる後ベッドの針ｔに編目を形成した時点から、伏せ目を開始しても良い。
【００４２】
次にコース１５で、後ベッドの針ｎ，ｐ，ｒ，ｔに係止されている左後肩部６ｂの編目４５，３２を、対向する前ベッドの針Ｎ，Ｐ，Ｒ，Ｔにそれぞれ目移しする。本実施例では、編成効率の点から、後ベッドの針ｎ，ｐ，ｒ，ｔに係止されている後身頃の編目４５，３２を、コース１５で一括して前ベッドの針に目移ししている。しかし伏せ目の進行に合わせ、順次前ベッドに目移しするようにしても良い。なお前身頃と後身頃の何れか一方の編目は一括して目移しせず、例えば実施例の場合、前身頃の編目を１目ずつ目移しする。次にコース１６で給糸口を左方向に移動させた後、コース１７で前ベッドの針Ｕに係止されている左前肩部６ａの編目３１を、後ベッドの針ｕに目移しする。そしてコース１８で編目３１を前ベッドの針Ｔに目移しして左後肩部６ｂの編目３２と重ね、前ベッドの針Ｔに２つの編目を重ねる。次にコース１９で給糸口を右方向に移動させた後、コース２０で前ベッドの針Ｔ・Ｒに編糸を供給して、次コースの編目３３，３４を形成する。これにより、コース１で前ベッドの針Ｕに係止されていた左前肩部６ａの編目３１と、後ベッドの針ｔに係止されていた左後肩部６ｂの編目３２は重ねられ、それらはコース２０で前ベッドの針Ｔに新たに形成された編目３３により保持される。編目３３，３４等は後身頃の編目上に形成されたので後身頃の編目であり、後身頃の編目でありながら前ベッドで形成されたため、トリックギャップ側に編目の表が有る。
【００４３】
次に図９のコース２１で前ベッドの針Ｔに係止されている編目３３を後ベッドの針ｔに目移しし、コース２２でさらに編目３３を前ベッドの針Ｒに目移しし、針Ｒに係止されている左後肩部の編目３４と重ねる。次にコース２３で、前ベッドの針Ｓに係止されている左前肩部６ａの編目３５を後ベッドの針ｓに目移しし、コース２４でさらに編目３５前ベッドの針Ｒに目移しする。これらにより、前ベッドの針Ｒに、左後肩部６ｂの編目３４（下）、コース２０で針ｔに新たに形成された編目３３（中）、左前肩部６ａの編目３５（上）の順で、３つの編目が重ねられる。
【００４４】
第１実施例では、図６に示すように、左前肩部６ａの編目と接続される左後肩部６ｂの編目１１と編目１４は、同一コースで形成された編目である。しかし第２実施例では、図１１に示すように、コース２０で、左後肩部６ｂの編目を係止している前ベッドの針Ｒにも編糸を供給して、次コースの編目３４を形成している。このため、コース２１で前ベッドの針Ｒに係止されているのは、コース１４で後ベッドの針ｒに係止されていた編目ではなく、コース２０で前ベッドの針Ｒに新たに形成された編目３４である。本実施例では、コース２０で、左前肩部６ａの編目３１と左後肩部６ｂの編目３２を重ねて保持している針Ｔとともに、隣接する針Ｒにも編糸を供給して編目を形成する。このため、最初に左前肩部６ａの編目３１と重ねた左後肩部６ｂの編目３２と、コース２４で左前肩部６ａの編目３５と重ねた左後肩部６ｂの編目３４は、形成されたコースが異なる。編目３４は編目３２の次のコースで形成された編目であるが、本実施例では、伏せ目の過程で形成された編目を含め、左前肩部６ａの編目と重ねられる編目を左後肩部６ｂの最終コースの編目とする。
【００４５】
次にコース２５で給糸口を右側に移動させ、コース２６で前ベッドの針Ｒ，Ｐに編糸を供給して、編目３６，３７を形成する。これにより、コース２４で前ベッドの針Ｒに係止されていた３つの編目は、針Ｒに新たに形成された編目３６により係止された状態で、針から外される。以下コース２７からコース３２で、コース２１からコース２６に示される編成と同様の編成が、左肩部６の内側に向かって（針Ｕ→針Ｏ、針ｔ→針ｎ）行われる。コース２１からコース２６に示される編成を繰り返し行うと、左前肩部６ａと左後肩部６ｂが接続されてゆく。そして図１０のコース３２で、左前肩部６ａの編目３８と左後肩部６ｂの編目３６，３７の重ね目を係止している前ベッドの針Ｐと同じベッドの針Ｎに、編糸が供給される。すると左前肩部６ａの最も内側の前ベッドの針Ｏにのみ、左前肩部６ａの編目３９が係止された状態となる。
【００４６】
コース３３で、コース３２で前ベッドの針Ｐに形成した編目４０を、後ベッドの針ｐに目移しする。コース３４で、これをさらに編目４０を前ベッドの針Ｎに目移しし、左後肩部６ｂの編目４１と重ねる。次にコース３５で、前ベッドの針Ｏに係止されている左前肩部６ａの最も内側の編目３９を、後ベッドの針ｎに目移しする。そしてコース３６で、共に前ベッドの針Ｎに係止されている左後肩部６ｂの編目４１とコース３２で形成された編目４０を、後ベッドの針ｎに目移しする。このため後ベッドの針ｎに、３つの編目が係止される。そしてコース３７で給糸口を右側に移動させた後、コース３８で、後ベッドの針Ｎに編糸を供給して編目４２を形成するとともに、後ベッドの針Ｌ，Ｊ・・・にも編糸を供給して編目を形成する。このようにして左肩部６の伏せ目が完了する。以下同様に、右肩部５に対し上記と同様の編成を行い、ついで右肩部５と左肩部６の間の後襟首部７に対し公知の伏せ目を施すと、セーター１の編成が完了する。
【００４７】
上記の工程によりコース３８までの編成が完了した時点における、伏せ目箇所の編組織を図１１に示す。右前肩部６ａの編目３１，３５，３８，３９と左後肩部６ｂの編目３２，３４，３７，４１は互いに接続され、これらは伏せ目され既に針から外された状態にある。第２実施例により編成されたセーター１は、第１実施例と同様に、左前肩部６ａの編目３１，３５，３８，３９が後側、左後肩部６ｂの編目３２，３４，３７，４１が前側というように、２つ編目を表側と表側が重なるように重ねている。従って、左前肩部６ａの編目３１，３５，３８，３９と左後肩部６ｂの編目３２，３４，３７，４１を重ねて保持している針に、次コースの編目３３，３６，４０，４２を形成し針から外すと、左前肩部６ａの編目３１，３５，３８，３９が時計回り方向に半回転する。このため図１１に示すように、左後肩部６ｂの編目３２，３４，３７，４１と左前肩部６ａの編目３１，３５，３８，３９が、向かい合った状態で上下に重ねられる。また３重目での編目間の関係は、裏（編目３５）表／表（編目３３）裏／表（編目３４）裏となる。
【００４８】
左前肩部６ａの編目と重ねられた左後肩部６ｂから周囲の編目に渡る編糸４３，４４は、コース１４で左後肩部６ｂに形成された編目４５を左前肩部側に引き寄せる。そのため左前肩部６ａの編目と重ねられた左後肩部６ｂの編目３４，３７，４１が左前肩部６ａの編目３５，３８，３９の下に隠れ、編地の表面にはコース１４で左後肩部６ｂに形成された編目４５と左前肩部６ａの編目３５，３８，３９が連続するかのような状態となる。従って本実施例により編成された編地では、伏せ目箇所の突出が抑えられた平坦な伏せ目が行われている。また、隣接するウェールに渡る編目３３，３６，４０は、左前肩部６ａの編目３５，３８，３９の下に隠れ、隣接するウェールの編目に渡る編目３３，３６，４０が編地表面に現れることがない。
【００４９】
＜第３実施例＞
次に本発明の第３実施例を説明する。第３実施例は第２実施例と伏せ目の方法が異なるが、（編目を形成する針、および編目を形成する順序の変更等の、容易に変更し得る範囲内の変更を伴う）、左前肩部６ａの編目と左後肩部６ｂの編目を、一方の編目が他方の編目の表側に重なるように編目を重ね、伏せ目を行う点は共通する。以下、図１２〜１４の編成コース図および伏せ目箇所を示す図１５を参照して、第３実施例を説明する。第３実施例でも、伏せ目を開始する前に、第２実施例のコース１からコース１４に示される伏せ目の準備工程を行う。以下、第２実施例のコース１４までの編成が完了した時点と同じ、コース１から説明を行う。
【００５０】
第３実施例の図１２のコース２からコース５で、第２実施例のコース１５からコース１８と同じ編成を行う。そして第２実施例では、コース１９で給糸口を右方向に移動させた後、コース２０で前ベッドの針Ｔ，Ｒに編糸を供給したが、第３実施例では、コース６で給糸口を右方向に移動させる際に、左前肩部６ａの編目５１と重ねた左後肩部６ｂの編目５２に隣接する左後肩部６ｂの編目を、係止している前ベッドの針Ｒに編糸を供給して編目５５を形成する。そしてコース７では、第２実施例と同様に、前ベッドの針Ｔ，Ｒに編糸を供給して編目５８，５６を形成する。以下同様に、コース８からコース２３で、伏せ目を行う。第２実施例のコース２５、コース３１、コース３７では給糸口を単に右方向に移動させたが、第３実施例のコース１２、コース１８では、給糸口を右方向に移動させる際に、左前肩部６ａの編目５１と重ねられた左後肩部６ｂの編目５２に隣接する
、左後肩部６ｂの編目５４を保持した針Ｐ，Ｎに編糸を供給して編目５５，５５を形成する。そしてコース２４からコース２５で、第２実施例のコース３７からコース３８と、同じ編成が行われる。コース２４では、コース２３までの編成により伏せ目すべき編目が既に重ねられた状態にあるため、編目の形成は行わない。
【００５１】
上記の編成によりコース２５までの編成が完了した時点における、伏せ目箇所の編組織を図１５に示す。図１５に示すように第３実施例では、左肩部６の端に位置する左前肩部６ａの編目５１と左後肩部６ｂの編目５２は、第２実施例の左肩部６ａの編目３１および左後肩部６ｂの編目３２と同じ編目である。しかし外側から２〜４番目のウェールでは、コース２で前ベッドの針に移された左後肩部６ｂの編目５４，５４，５４に続き、コース６，１２，１８で形成された編目５５，５５，５５が有り、さらにコース７で前ベッドの針Ｒ、コース１３で針Ｐ、コース１９で針Ｎに形成された編目５６，５６，５６が有る。このため左前肩部６ａの編目５７，５７，５７と重ねられるのは編目５６，５６，５６である。一方コース７で前ベッドの針Ｔ、コース１３で針Ｒ、コース１９で針Ｐに形成された編目５８，５８，５８は、それぞれ隣接するウェールの編目５７，５６に渡る状態となる。第３実施例でも、第２実施例と同様に左前肩部６ａの編目５７と左後肩部６ｂの編目５６を、一方の編目が他方の編目の表側に重ねている。このため、左前肩部６ａの編目５７と左後肩部６ｂの編目５６の重ね目に、次コースの編目５８が形成されると、それぞれの編目が上下に重ねられた状態となるため、伏せ目箇所が突出するのを抑えられる。また３重目での編目間の関係は、裏（編目５６）表／裏（編目５８）表／表（編目５７）裏となる。
【００５２】
隣接するウェールに渡る編目５８は左前肩部６ａの編目５７の下に隠れた状態となるため、編目５８が編地の表面に現れることがない。左前肩部６ａの編目５７と左後肩部６ｂの編目５６が重ねられた状態で形成された編目５８から、左後肩部６ｂの編目５５に渡る編糸５９、および編目５６に渡る編糸６０が存在する。第２実施例と同様に、左後肩部６ｂの編目５５，５６が、渡り糸５９，６０で左前肩部６ａの編目５７側に引き寄せられる。従って、左前肩部６ａの編目５７と重ねられた左後肩部６ｂの編目５６が、左前肩部６ａの編目５７および左後肩部６ｂの編目５５の下に隠れる。このため、編地表面では、左前肩部６ａの編目５７と左後肩部６ｂの編目５５があたかも連続するような状態となる。従って本実施例により編成された編地では、伏せ目箇所が突出が抑えられ、平坦な伏せ目箇所が形成される。
【００５３】
上記の各実施例では、いずれも前後一対の針床のみを備えた横編機を使用する場合を例に説明したが、本発明は、前後一対の下部針床上にそれぞれ上部針床が設けられる、４枚ベッド横編機でも実施できる。第１実施例から第３実施例では１本置きの針を目移しを行うための空針として編成した。これに対して４枚ベッド横編機では、目移しの際に上部針床の針を使用できるため、第１実施例から第３実施例のように各編目間に目移しのための空針を配置する必要がない。またここでは好ましい３つの実施例を説明したが、本発明は実施例に限られず、編目を形成する針や、編目を形成する順序の変更等の種々の変形が可能である。
【図面の簡単な説明】
【図１】実施例での伏せ目が完了したセーター１を示す図
【図２】実施例での伏せ目開始前のセーター１を示す図
【図３】第１実施例を示す編成コース図
【図４】第１実施例を示す編成コース図
【図５】第１実施例を示す編成コース図
【図６】第１実施例により伏せ目されたセーター１の伏せ目箇所を示す編組織図
【図７】第２実施例を示す編成コース図
【図８】第２実施例を示す編成コース図
【図９】第２実施例を示す編成コース図
【図１０】第２実施例を示す編成コース図
【図１１】第２実施例により伏せ目されたセーター１の伏せ目箇所を示す編組織図
【図１２】第３実施例を示す編成コース図
【図１３】第３実施例を示す編成コース図
【図１４】第３実施例を示す編成コース図
【図１５】第３実施例により伏せ目されたセーター１の伏せ目箇所を示す編組織図
【図１６】従来の伏せ目方法により伏せ目した場合の接合箇所を示す断面図
【符号の説明】
１    セーター
２ａ  前身頃部
２ｂ  後身頃部
３    右袖部
４    左袖部
５    右肩部
６    左肩部
６ａ  左前肩部
６ｂ  左後肩部
７    後襟首部
【図１】
0003798062.tif 000002
【図２】
0003798062.tif 000003
【図３】
0003798062.tif 000004
【図４】
0003798062.tif 000005
【図５】
0003798062.tif 000006
【図６】
0003798062.tif 000007
【図７】
0003798062.tif 000008
【図８】
0003798062.tif 000009
【図９】
0003798062.tif 000010
【図１０】
0003798062.tif 000011
【図１１】
0003798062.tif 000012
【図１２】
0003798062.tif 000013
【図１３】
0003798062.tif 000014
【図１４】
0003798062.tif 000015
【図１５】
0003798062.tif 000016
【図１６】
0003798062.tif 000017